【事件の表示】
　特願２００４−３４２７７８「画像形成装置」拒絶査定不服審判事件〔平成１８年　６月１５日出願公開、特開２００６−１５０６８６〕について、次のとおり審決する。
【結　論】
　本件審判の請求は、成り立たない。
【理　由】
第１　手続の経緯
　本願は、平成１６年１１月２６日の出願であって、平成２２年４月３０日付けで手続補正がなされ、同年６月２２日付けで拒絶査定がなされ、これに対して、同年９月２４日付けで拒絶査定不服審判の請求がなされ、当審において、平成２３年６月２４日付けで拒絶の理由（以下「当審拒絶理由」という。）の通知がなされ、同年８月１１日付けで手続補正がなされたものである。
　
第２　本願発明
　本願の請求項１ないし３に係る発明は、平成２３年８月１１日付けの手続補正により補正された明細書、特許請求の範囲及び図面の記載からみて、特許請求の範囲の請求項１ないし３にそれぞれ記載された事項によって特定されるものと認められるところ、請求項１に係る発明（以下「本願発明」という。）は、次のとおりのものである。
　
「記録液を吐出する記録ヘッドと、この記録ヘッドの回復処理を行う回復手段とを備え、前記記録液を収容するカートリッジを交換可能な画像形成装置において、
　前記カートリッジには固有のＩＤ番号を記憶する記憶手段が設けられ、
　前記装置本体側には、
　装着された前記カートリッジのＩＤ番号を読み込んで記憶する本体記憶手段と、
　前記カートリッジが装着されたときに当該装着されたカートリッジの前記ＩＤ番号を前記本体記憶手段に記憶しているＩＤ番号と比較し、両者のＩＤ番号が一致していないときには、同一ではない前記カートリッジが前記装置本体に装着されたと判断して、前記回復処理を行い、両者のＩＤ番号が一致しているときには、同一の前記カートリッジが前記装置本体に再度装着されたと判断して、前記回復処理を行わず、印刷動作を開始可能な状態にする制御をする手段と、を有している
ことを特徴とする画像形成装置。」
　
第３　引用刊行物及び引用発明
　当審拒絶理由に引用された、本願の出願前に頒布された刊行物である特開２００２−２９０６９号公報（以下「引用例」という。）には、次の事項が図とともに記載されている（下線は審決で付した。）。
　
１　「【請求項１】 
インクを充填したインクタンクから複数のノズルを並べたインクジェットヘッドにインク供給経路を介して前記インクを供給し、前記各ノズルから前記インクを吐出して記録紙に画像を記録するインクジェットプリンタにおいて
前記インク供給経路からインクを排出するインク排出手段と
前記インクタンクを交換したときに前記インク排出手段により前記インク供給経路内のインクを排出するとともに、このインクの排出が完了してから画像を記録する制御手段とを備えた
インクジェットプリンタ
 　 
２　「【発明の詳細な説明】 
 【０００１】 
 【発明の属する技術分野】本発明は、インクジェットプリンタに関し、更に詳しくは記録用のインクを充填したインクタンクがインクジェットヘッドと分離されて交換可能に装着されているインクジェットプリンタに関するものである。 
 【０００２】 
 【従来の技術】インクジェットプリンタでは、記録用のインクがインクタンクに充填して供給され、インクタンクはインクジェットプリンタ内に交換可能に装着されている。インクタンクとインクジェットヘッドとは、インク供給チューブ等で接続されてインクタンクからのインク供給が行われる。インクジェットプリンタにはインク切れ検出センサ等が設けられ、インクが無くなるとインクタンク交換を指示するアラームを発し画像のプリントを中断する。ユーザーが、このアラームに従いインクタンクを交換すると画像のプリントが再開される。 
 【０００３】 
 【発明が解決しようとする課題】しかしながら、上記のようなインクジェットプリンタでは、インクタンクを交換したときにインク供給チューブ等のインク供給経路内に残留しているインクタンク交換前の古インクと、インクタンク交換後の新インクとが存在している。
インクは同色のものであっても製造ロットによって微妙な色の違いがある。このままインクタンク交換前後の新旧のインクがそれぞれ存在する状態で１つの画像をプリントすると、古インクでのプリントエリアと新インクでのプリントエリアとで色に微妙なずれが生じ、色むらが発生する恐れがある。
 【０００４】本発明は、
上記問題を解決するためのものであり、インクタンク交換時に、インクタンク交換前後の新旧のインクがそれぞれ存在する状態のまま、１つの画像がプリントされることのないインクジェットプリンタ
 　 
３　「【００１２】上記実施形態では、
インクタンク交換時の古インクの排出は、インク吐出面から吸引ポンプにより吸引するとともに、各ノズルのピエゾ素子を駆動して古インクを排出する
 　 
４　上記１ないし３から、引用例には、次の発明（以下「引用発明」という。）が記載されていると認められる。 
 　 
「インクを充填したインクタンクから複数のノズルを並べたインクジェットヘッドにインク供給経路を介して前記インクを供給し、前記各ノズルから前記インクを吐出して記録紙に画像を記録するインクジェットプリンタにおいて、 
　インクは同色のものであっても製造ロットによって微妙な色の違いがあり、このままインクタンク交換前後の新旧のインクがそれぞれ存在する状態で１つの画像をプリントすると、古インクでのプリントエリアと新インクでのプリントエリアとで色に微妙なずれが生じ、色むらが発生する恐れがあるという問題を解決するために、 
　前記インク供給経路からインクを排出するインク排出手段と、 
　前記インクタンクを交換したときに前記インク排出手段により前記インク供給経路内のインクを排出するとともに、このインクの排出が完了してから画像を記録する制御手段とを備え、 
　インクタンク交換時の古インクの排出は、インク吐出面から吸引ポンプにより吸引するとともに、各ノズルのピエゾ素子を駆動して古インクを排出するものであり、 
　インクタンク交換時に、インクタンク交換前後の新旧のインクがそれぞれ存在する状態のまま、１つの画像がプリントされることのないようにしたインクジェットプリンタ。」 
　
第４　対比
　本願発明と引用発明とを対比する。
１　引用発明の「インク」、「『インクを吐出』する『ノズルを並べたインクジェットヘッド』」、「『インク吐出面』から『古インク』を『吸引』する『吸引ポンプ』」、「『交換』できる『インクを充填したインクタンク』」及び「インクジェットプリンタ」は、それぞれ、本願発明の「記録液」、「記録液を吐出する記録ヘッド」、「記録ヘッドの回復処理を行う回復手段」、「『交換可能』な『記録液を収容するカートリッジ』」及び「画像形成装置」に相当する。
　
２　上記１から、本願発明と引用発明とは、 
「記録液を吐出する記録ヘッドと、この記録ヘッドの回復処理を行う回復手段とを備え、前記記録液を収容するカートリッジを交換可能な画像形成装置。」 
である点で一致し、次の点で相違する。 
　
相違点： 
　本願発明では、前記カートリッジには、「固有のＩＤ番号を記憶する記憶手段」が設けられ、前記画像形成装置の本体には、「装着された前記カートリッジのＩＤ番号を読み込んで記憶する本体記憶手段と、
　前記カートリッジが装着されたときに当該装着されたカートリッジの前記ＩＤ番号を前記本体記憶手段に記憶しているＩＤ番号と比較し、両者のＩＤ番号が一致していないときには、同一ではない前記カートリッジが前記装置本体に装着されたと判断して、前記回復処理を行い、両者のＩＤ番号が一致しているときには、同一の前記カートリッジが前記装置本体に再度装着されたと判断して、前記回復処理を行わず、印刷動作を開始可能な状態にする制御をする手段」が設けられているのに対して、 
　引用発明では、そのような手段のいずれもない点。 
　
第５　判断
　上記相違点について検討する。 
１　引用発明は、インクは同色のものであっても製造ロットによって微妙な色の違いがあり、このままインクタンク交換前後の新旧のインクがそれぞれ存在する状態で１つの画像をプリントすると、古インクでのプリントエリアと新インクでのプリントエリアとで色に微妙なずれが生じ、色むらが発生する恐れがあるという問題を解決するためになされたものであるところ、引用発明において、例えば、ユーザが使用途中のインクタンクを取り外した後再びそのインクタンクを装着する場合など、前記交換前後のインクタンクが同一である場合には、交換前後のインクも同一であるからそもそも前記問題が生じることはなく、むしろ、そのような場合にも、インク供給経路内のインクを排出することとすると、インクを無駄に排出してしまうことになることが、当業者に自明である。 
 　 
２　ＩＤが記憶されている記憶手段を備えたインクカートリッジが装着された際、前記ＩＤを読み込み、以前装着されていたインクカートリッジのＩＤと一致するか否か判定するインクジェット記録装置は、本願の出願前に周知である（以下「周知技術」という。例．特開２０００−１９８２２０号公報特に【請求項１１】、【００１３】、【００１４】、【００４５】及び【００４６】、特開平８−１７４８６３号公報特に【０００４】、【００３５】ないし【００３８】参照。）。 
 　 
３　上記１及び２から、引用発明において、例えば、ユーザが使用途中のインクタンクを取り外した後再びそのインクタンクを装着する場合など、交換前後のインクタンクが同一である場合には、インク供給経路内のインクを無駄に排出しないようにするために、インクタンクに、ＩＤが記憶されている記憶手段を設け、インクジェットプリンタが備える制御手段を、該インクジェットプリンタにインクタンクが装着された際、前記ＩＤを読み込み、以前装着されていたインクタンクのＩＤと一致するか否か判定し、一致しない場合には、インク排出手段によりインク供給経路内のインクを排出するとともに、このインクが排出が完了してから画像を記録し、一致する場合には、インク供給経路内のインクを排出することなく画像を記録する制御手段とすることは、当業者が周知技術に基づいて容易に想到し得た程度のことである。
　
４　上記３の「ＩＤが記憶されている記憶手段」は、本願発明の「固有のＩＤ番号を記憶する記憶手段」に相当する。 
　また、上記３の「『インクジェットプリンタにインクタンクが装着された際、前記ＩＤを読み込み、以前装着されていたインクタンクのＩＤと一致するか否か判定し、一致しない場合には、インク排出手段によりインク供給経路内のインクを排出するとともに、このインクが排出が完了してから画像を記録し、一致する場合には、インク供給経路内のインクを排出することなく画像を記録する制御手段』を備えた『インクジェットプリンタ』」が、本願発明の「装着されたカートリッジのＩＤ番号を読み込んで記憶する本体記憶手段」及び「前記カートリッジが装着されたときに当該装着されたカートリッジの前記ＩＤ番号を前記本体記憶手段に記憶しているＩＤ番号と比較し、両者のＩＤ番号が一致していないときには、同一ではない前記カートリッジが前記装置本体に装着されたと判断して、前記回復処理を行い、両者のＩＤ番号が一致しているときには、同一の前記カートリッジが前記装置本体に再度装着されたと判断して、前記回復処理を行わず、印刷動作を開始可能な状態にする制御をする手段」にそれぞれ相当する手段を備えていることは明らかである。 
 　 
５　上記３及び４から、引用発明において、上記相違点に係る本願発明の構成となすことは、当業者が周知技術に基づいて容易になし得た程度のことである。 
 　 
６　効果について 
　本願発明の奏する効果は、当業者が、引用発明の奏する効果及び周知技術の奏する効果から予測できた程度のものである。 
 　 
７　まとめ 
　したがって、本願発明は、当業者が、引用例に記載された発明及び周知技術に基づいて容易に発明をすることができたものである。 
　
第６　むすび
　以上のとおり、本願発明は、当業者が、引用例に記載された発明及び周知技術にに基づいて容易に発明をすることができたものであるから、特許法第２９条第２項の規定により特許を受けることができない。
　よって、結論のとおり審決する。